(57)【要約】      （修正有）【課題】本発明は、アダプタ要素と基礎取付台とを備える、乗り物用化粧室のための付属品取付台を提供する。【解決手段】アダプタ要素２００は、結合装置２１０と、付属品構成要素を受容するように構成される少なくとも１つの開口部２３１〜２３５と、円周案内面２４０とを有する。基礎取付台１００は、基礎取付台の取り付けのための第１の取付装置と、アダプタ要素２００の結合装置２１０に結合され、取り外し可能に取り付けられるように構成される第２の取付装置と、アダプタ要素２００の円周案内面２４０を少なくとも部分的に取り囲むように構成される内側案内面とを有する。【選択図】図２
2018197107.tif 000002
【特許請求の範囲】
【請求項１】
乗り物用化粧室のための付属品取付台であって、
結合装置（２１０、３１０）、付属品構成要素を受容するように構成される少なくとも１つの開口部（２３１〜２３５、３２１）、及び、円周案内面（２４０、３４０）を備える、アダプタ要素（２００、３００）と、
基礎取付台の取り付けのための第１の取付装置（１０５）、アダプタ要素（２００、３００）の結合装置（２１０、３１０）に結合され、取り外し可能に取り付けられるように構成される第２の取付装置（１１０）、及び、アダプタ要素（２００、３００）の円周案内面（２４０、３４０）を少なくとも部分的に取り囲むように構成される内側案内面（１２０）を備える、基礎取付台（１００）と、
を具備する付属品取付台。
【請求項２】
前記アダプタ要素（２００、３００）の少なくとも１つの開口部（２３１〜２３５、３２１）は、さらに、形状を適合させる方法で前記付属品構成要素を受容するように構成され、及び／又は、前記付属品構成要素は、締結具によって前記アダプタ要素（２００、３００）に取り付けることができる、請求項１に記載の付属品取付台。
【請求項３】
前記付属品構成要素は、前記アダプタ要素（２００、３００）の前記少なくとも１つの開口部（２３１〜２３５、３２１）を通して少なくとも部分的に導かれる給水管（５１１、５３１）及び／又は電気ケーブル（５１２）である、請求項１又は２に記載の付属品取付台。
【請求項４】
前記付属品は、水分配用付属品であり、前記給水管（５１１、５３１）及び／又は電気ケーブル（５１２）に取り付けることができ、
前記アダプタ要素（２００、３００、１２００、１２０１、１３００、１６００）は、前記付属品を前記アダプタ要素（２００、３００、１２００、１２０１、１３００、１６００）に直接的又は間接的に結合するための支持面をさらに有する、請求項３に記載の付属品取付台。
【請求項５】
前記基礎取付台（１００）の前記第２の取付装置（１１０）及び前記アダプタ要素（２００、３００）の前記結合装置（２１０、３１０）は、対応する案内面（１１１１、１２１５）及び／又は共通の締結具（２６０）を受容する開口部を有する、請求項１〜４のいずれか１項に記載の付属品取付台。
【請求項６】
前記アダプタ要素（２００、３００）と付属品（５１０、５２０、５３０）との間に固定されるように構成される被覆パネル（４１０、４２０、４３０）をさらに具備する、請求項１〜５のいずれか１項に記載の付属品取付台。
【請求項７】
前記アダプタ要素（２００、３００）は少なくとも１つの突起（２４０）を有し、前記被覆パネル（４１０、４２０、４３０）は少なくとも１つの対応するレセプタクルを有し、該レセプタクル内には、前記被覆パネルが前記アダプタ要素（２００、３００）に固定されるときに、突起（２４２）がそれぞれ突出する、請求項６に記載の付属品取付台。
【請求項８】
前記被覆パネル（４１０、４２０、４３０）は、付属品構成要素を受容するように構成される少なくとも１つの開口部（４１１、４１２、４２１〜４２３、４３１）を有し、前記少なくとも１つの開口部（４１１、４１２、４２１〜４２３、４３１）はそれぞれ、前記被覆パネルが前記アダプタ要素（２００、３００）に固定されるときに、前記アダプタ要素（２００、３００）の前記少なくとも１つの開口部（２３１〜２３５、３２１）の１つに対応する、請求項６又は７に記載の付属品取付台。
【請求項９】
前記付属品（５１０、５２０、５３０）内に少なくとも部分的に導入され、前記付属品（５１０、５２０、５３０）に取り付けられるように構成される付属品接続要素（４５０）をさらに具備する、請求項６〜８のいずれか１項に記載の付属品取付台であって、
前記付属品接続要素（４５０）は、さらに、前記アダプタ要素（２００、３００）及び／又は前記被覆パネル（４１０、４２０、４３０）に取り付けられるように構成されるか、又は、前記被覆パネル（４１０、４２０、４３０）と一体的に形成される、付属品取付台。
【請求項１０】
前記アダプタ要素（２００、３００）と前記被覆パネル（４１０、４２０、４３０）との間に配置されるシール（２５０）をさらに具備する、請求項６〜９のいずれか１項に記載の付属品取付台。
【請求項１１】
前記シール（２５０）は、形状を適合させる方法で前記アダプタ要素（２００、３００）の対応する凹部（２１１、３１１）に位置するように構成される厚肉部（２５１、３５１）を有し、及び／又は
前記シールは、前記基礎取付台（１００、１１００）及び／又は前記アダプタ要素（２００、３００、１２００、１２０１、１３００、１６００）を少なくとも部分的に包囲するように構成される連続部（２５２）を有する、請求項１０に記載の付属品取付台。
【請求項１２】
請求項１〜１１のいずれか１項に記載の付属品取付台を具備する、乗り物用化粧室。
【請求項１３】
請求項１〜１１のいずれか１項に記載の付属品取付台を備える乗り物。
【発明の詳細な説明】
【技術分野】
【０００１】
本発明は、アダプタ要素を備える付属品取付台のほか、乗り物用化粧室と、そのような付属品取付台を備える乗り物に関する。特に、本発明は、基礎取付台に結合され取り外し可能に取り付けられるアダプタ要素を備える付属品取付台のほか、乗り物用化粧室と、そのような付属品取付台を備える乗り物に関する。
【背景技術】
【０００２】
航空機、列車、バスをはじめとする大量輸送手段の付属品（fittings）、特に給水栓をはじめとする水分配用付属品が、ある種の乗り物又は乗り物シリーズ用に主に開発されている。これは、外観（デザイン）だけでなく、付属品の取り付けのタイプ及び接続ラインの経路設定にも関わることである。このため、特殊な付属品及び取付手段を、必要に応じて交換することができるように、個々の種類の乗り物や乗り物のシリーズごとに保管しなければならない。
【発明の概要】
【０００３】
このため、付属品の簡単な交換を容易にする付属品取付台を提供する必要がある。
【０００４】
第１の態様によれば、付属品取付台が乗り物用化粧室のために設けられる。乗り物用化粧室は、乗り物トイレ、乗り物の調理室キッチン、乗り物の内部又は外部の通水路を備える別のモジュールでもよい。付属品取付台は、結合装置を有するアダプタ要素と、付属品構成要素を受容するように構成される少なくとも１つの開口部と、円周案内面とを備える。少なくとも１つの開口部は、付属品のアダプタ要素への結合及び／又は取り付けを可能にするのに対し、結合装置及び円周案内面は付属品取付台自体を取り付けるのに役立つ。例えば、少なくとも１つの開口部は、前面を形成するアダプタ要素の平板上に設けられるのに対し、円周案内面は、平板の奥行き方向の少なくとも片面に実質的に直交して延びる。円周案内面は、この場合には、平板の外側縁から延びることができる。
【０００５】
アダプタ要素に結合される付属品は、例えば、給水栓などの水分配用付属品であってもよい。これとは別に、アダプタ要素の少なくとも１つの開口部は、例えば、石鹸ディスペンサー、ハンドドライヤーなどの別の付属品を受容したり、及び／又は取り付けたりするように構成されてもよい。
【０００６】
さらに、付属品取付台は、基礎取付台の取り付けのための第１の取付装置と、アダプタ要素の結合装置に結合され、取り外し可能に取り付けられるように構成される第２の取付装置と、アダプタ要素の円周案内面を少なくとも部分的に取り囲むように構成される内側案内面とを備える基礎取付台を具備する。第１の取付装置は開口部を構成することができる。例えば、この開口部を通して、基礎取付台を取り付けるために締結具を導くことができる。基礎取付台は、第１の取付装置によって乗り物用化粧室の壁又はモジュールに取り付けることができる。このために、第１の取付装置に取り外し可能に取り付けるだけで、付属品取付台の迅速な交換が保証できる。
【０００７】
付属品取付台を基礎取付台とアダプタ要素に分離することによりこのほか、さまざまな付属品のためのさまざまなアダプタ要素であって、いずれも同一の基礎取付台に取り付けることができるさまざまなアダプタ要素を提供することが可能になる。このために、円周案内面、特にさまざまなアダプタ要素すべての円周案内面は、あらゆる点で等しく作成することができ、その結果、さまざまなアダプタ要素がいずれも同一の基礎取付台の内側案内面に嵌合するようになる。このため、乗り物の付属品を簡単かつ迅速に交換することが可能となる。これにより、乗り物操作者の望みに応じて、乗り物用化粧室を簡単かつ迅速に再構成することが可能になる。
【０００８】
基礎取付台の内側案内面とアダプタ要素の円周案内面は、基礎取付台とアダプタ要素とを形状を適合させる方法で接続させるように設計することができる。形状適合接続はこのほか、アダプタ要素から基礎取付台へのトルクの伝達を可能にする。例えば、アダプタ要素の円周案内面は、アダプタ要素の奥行き全体、あるいは少なくともアダプタ要素の奥行きの大部分（例えば、奥行きの半分を上回る部分）に及んでもよい。基礎取付台の内側案内面は、少なくともアダプタ要素の円周案内面の奥行きに対応する奥行きを有してもよい。このため、アダプタ要素の円周案内面を介して、アダプタ要素の奥行き方向にトルクを、基礎取付台の内側案内面に伝達することができる。そのようなトルクは、人がアダプタ要素に結合された付属品にて自身を支えるか、さもなければ付属品に少なくとも１つの方向の圧力をかけるか、物品が付属品に落ちた場合に発生する。
【０００９】
アダプタ要素の円周案内面は、開口部及び／又は隙間を有してもよい。このような開口部及び／又は隙間は（アダプタ要素の円周方向に）、例えば、パイプ、基礎取付台の一部及び／又は乗り物用化粧室の構成部品の一部のような要素を受容するのに役立つ。
【００１０】
これとは別に、あるいはこれに加えて、基礎取付台は、内側案内面の１つの縁部に沿って、少なくとも１つの突起を有してもよい。この突起には、構成要素の縁部又はアダプタ要素の円周案内面を形成するアダプタ要素の一部が、別の形状適合を発生させるために、当接する。そのような突起は、特に付属品に作用する力及びトルクのためにアダプタ要素から基礎取付台に力を導入するのに役立つ。一方、そのような縁部がなければ、基礎取付台は、基礎設置台の両側からアダプタ要素を挿入できるという利点がある。このため、基礎取付台はその上、両方向から挿入することもできるし、両方向から乗り物用化粧室のモジュールに組み込むこともできる。
【００１１】
これとは別に、あるいはこれに加えて、アダプタ要素の断面形状は任意の形状としてもよい。基礎取付台の内側案内面は、アダプタ要素の断面形状に対応する空間の区切りを規定しており、その結果、アダプタ要素の円周案内面を基礎取付台の内側案内面に挿入することができ、その案内面でアダプタ要素の奥行き方向に摺動することができる。アダプタ要素の断面形状が円形ではなく、例えば、楕円形、少なくとも１つの一直線の面を有する略楕円形又は矩形である場合は、アダプタ要素から基礎取付台にねじり力を伝達することができる。これとは別に、アダプタ要素はこのほか、円形の断面形状を有してもよいが、ねじり力を伝達するためには、基礎取付台の内側案内面に沿って回転させないように、締結具によって固定する必要がある。回転防止をこのほか、円周案内面上のアダプタ要素の奥行き方向に沿った１つ以上の突起又は溝と、基礎取付台の内側案内面の対応する溝又は突起によって達成してもよい。
【００１２】
また、基礎取付台の内側案内面は、少なくとも１つの開口部を有していても途切れていてもよい。アダプタ要素は、例えば、略Ｕ字型の断面形状を有してもよい。これにより、給水管及び／又は電気ケーブルを、基礎取付台を通してアダプタ要素（の内部）に経路設定するのが容易になる。
【００１３】
一実施形態では、付属品構成要素は、アダプタ要素の少なくとも１つの開口部を少なくとも部分的に通って経路設定された給水管及び／又は電気ケーブルであってもよい。特に、付属品構成要素は、給水管及び／又は電気ケーブルの端部又はＬ型継手であってもよい。この付属品構成要素はその後、付属品を付与する方向にアダプタ要素から給水管及び／又は電気ケーブルの一端が突出するように、アダプタ要素の少なくとも１つの開口部を通って経路設定される。残りの付属品は、給水管及び／又は電気ケーブルの突出したライン部分（即ち、付属品構成要素）に取り付けられるようにさらに構成することができる。これに加えて、付属品は、アダプタ要素の対応する部分に直接的又は間接的に（二次元的に）結合された端部を有することができる。これにより、付属品はアダプタ要素に支持され得るのに対し、実際の取り付けは給水管及び／又は電気ケーブルを介して実施される。
【００１４】
これとは別に、あるいはこれに加えて、付属品構成要素は、（目に見える）付属品の取り外し可能な構成要素又は一体的な構成要素としてもよい。この場合、アダプタ要素の少なくとも１つの開口部は、形状を適合させる方法で付属品構成要素を受容するように構成することができる。例えば、付属品構成要素は、付属品と、アダプタ要素の少なくとも１つの開口部の１つとの間に形状適合接続をもたらす突起であってもよい。このため、付属品の突起は、アダプタ要素の少なくとも１つの開口部の断面に対応する規定の断面形状を有してもよい。これに加えて、鞘状のアダプタ構成要素をこのほか、アダプタ要素の少なくとも１つの開口部に嵌め込むことがでる。この構成要素は付属品の突起の断面に対応する（内部）断面を有する。アダプタ要素の奥行き方向への開口部のこの「延長」により、付属品構成要素とアダプタ要素との間に、形状適合及び／又はねじり式の固定結合が発生し得る。
【００１５】
さらに、これとは別に、あるいはこれに加えて、アダプタ要素の少なくとも１つの開口部は、付属品構成要素が締結具によりアダプタ要素に取り付けられるように構成されてもよい。例えば、付属品構成要素は、付属品の一端にて突出するネジ山付き棒、ネジ付きボルトをはじめとする締結具としてもよい。このため、付属品は、アダプタ要素の少なくとも１つの開口部を通して付属品構成部品を案内した後に、ネジ山付き棒又はネジ山付きボルトに螺合されたナットによって摩擦的にアダプタ要素に取り付けることができる。
【００１６】
アダプタ要素の少なくとも１つの開口部は、給水管及び／又は電気ケーブルを少なくとも部分的にアダプタ要素を通して経路設定するようにさらに構成されてもよい。付属品構成要素が付属品の取り外し可能な部分又は一体的な部分である場合には、給水管及び／又は電気ケーブルは、アダプタ要素の付属品構成要素への形状適合接続に用いられる開口部以外のアダプタ要素の少なくとも１つの開口部のうちの１つを通して経路設定されてもよい。
【００１７】
当然のことながら、付属品構成要素はこのほか、付属品に既に結合されている給水管及び／又は電気ケーブルの一部であってもよい。例えば、給水管及び／又は電気ケーブルは付属品の一端から突出して、雄ネジを備えてもよい。この雄ネジには、アダプタ要素の開口部を通して付属品構成要素を導いた後、アダプタ要素の付属品から離れる側に、ナット等の締結具を螺合することができる。
【００１８】
アダプタ要素は、給水管及び／又は電気ケーブルがアダプタ要素の内側に（アダプタ要素の奥行き方向に）配置され、給水管及び／又は電気ケーブルがアダプタ要素の円周案内面の開口部を通ってアダプタ要素の外部に導かれるように、さらに構成されてもよい。例えば、給水管及び／又は電気ケーブルは、湾曲部又はＬ型継手を備えてもよい。これにより、付属品取付台の空間節約が促進され、特に、奥行きが極めて小さくなる。
【００１９】
さらに、アダプタ要素はいくつかの開口部を有してもよく、さまざまなグループの開口部をさまざまな種類の付属品を固定するのに用いる。換言すると、第１のタイプの付属品を固定するのに第１のグループの開口部を使用すると同時に、第２のタイプの付属品を固定するのに第２のグループの開口部を使用する。当然のことながら、１つ以上の開口部が第１のグループと第２のグループの両方に属してもよく、アダプタ要素はこのほか、３つ以上のグループを有してもよい。
【００２０】
これまでに記載した実施の変形例とは別に、あるいは同変形例に加えて、基礎取付台の第２の取付装置及びアダプタ要素の結合装置は、共通の締結具を受容するための対応する案内面及び／又は開口部を有してもよい。簡素な実施形態では、基礎取付台はその内側案内面に開口部を備える突起を有する。この開口部内には、締結具、例えば、ネジ又はボルトを挿入し、突起の開口部の内部に摩擦的に接続してもよい。このためには、突起の開口部の内側に雌ネジを設けても、突起の材料に摩擦的に係合するセルフタッピンネジを締結具に設けてもよい。
【００２１】
別個の締結具とは別に、ピン、ボルト又はネジ山付き棒をこのほか、アダプタ取付台に設けてもよい。このピン、ボルト又はネジ山付き棒は、基礎取付台の突起の開口部に導入することができ、アダプタ要素の円周案内面は基礎取付台の内側案内面に沿って摺動する。換言すると、ピン、ボルト又はネジ山付き棒は、アダプタ要素の円周案内面に平行にアダプタ取付台に配置される。ピン又はボルトに関しては、アダプタ要素と基礎取付台との間の摩擦接続のために、ピン又はボルト、あるいは基礎取付台の突起に締め付け要素を設けてもよい。ネジ山付き棒に関しては、ナットをネジ山付き棒に螺合して、アダプタ要素と突起の後側の基礎取付台との間に摩擦接続を発生させてもよい。
【００２２】
別の実施の変形例によれば、付属品取付台は、アダプタ要素と付属品との間に固定されるように構成された被覆パネルを備えてもよい。ここで、被覆パネルは付属品取付台自体に取り付けられ、付属品をアダプタ要素に締結することによって付属品とアダプタ要素との間に締め付けられてもよい。被覆パネルは、少なくとも付属品取付台を覆うように寸法が決められている。被覆パネルは、アダプタ要素と付属品との間に配置されるため、付属品の一端部をアダプタ要素に間接的に結合させる。
【００２３】
アダプタ要素は、少なくとも１つの突起をさらに有してもよい。このため、被覆パネルは少なくとも１つの対応するレセプタクルを有してもよい。このレセプタクル内には、被覆パネルがアダプタ要素に搭載されたときに、突起が突出する。少なくとも１つの突起は、前面を形成するアダプタ要素の平板上に配置され、被覆パネルと付属品を固定する方向に延びてもよい。被覆パネルの少なくとも１つのレセプタクルは、被覆パネルのアダプタ要素に面する側の凹部であってもよい。これとは別に、被覆パネルのレセプタクルはこのほか、被覆パネルを通る連続的な開口部を構成してもよい。アダプタ要素上に少なくとも２つの突起を配置し、被覆パネル上に少なくとも２つの対応するレセプタクルを配置することにより、被覆パネルを、アダプタ要素上にねじりに耐えるように保持するか取り付けることができる。これとは別に、非円形形状の単一の突起とそれに対応して被覆パネルに形成されたレセプタクル又は開口部を使用しても、捻転防止の取り付けを達成することができる。
【００２４】
これとは別に、あるいはこれに加えて、被覆パネルは、付属品構成要素を受容するように構成された少なくとも１つの開口部を有してもよい。ここで、少なくとも１つの開口部はそれぞれ、被覆パネルがアダプタ要素に固定されたときに、アダプタ要素の少なくとも１つの開口部の１つに対応する。この場合、被覆パネルの少なくとも１つの開口部は、アダプタ要素上のオプションの突起の１つ以上に対応する形状を有することができる。例えば、被覆パネルの少なくとも１つの開口部は、被覆パネルがアダプタ要素に配置されているときに、アダプタ要素上の周方向の突起を包囲してもよい。
【００２５】
アダプタ要素は、アダプタ要素の開口部がアダプタ要素を基礎取付台に取り付けるのに用いられる場合、被覆パネルよりも多くの開口部をさらに有してもよい。これに加えて、アダプタ要素は、さまざまなタイプの付属品とひいてはさまざまな被覆パネルの固定を満足のいくものにするために、被覆パネルよりも多くの開口部を有してもよい。
【００２６】
これとは別に、あるいはこれに加えて、付属品取付台は、付属品内に少なくとも部分的に導入され、付属品に取り付けられるように構成される付属品接続要素をさらに備えてもよい。付属品接続要素は、例えば、付属品に挿入される１つ以上の突起を有してもよい。この場合、１つ以上の突起は、例えば、突起の端部を拡大させた形態で、スナップ要素を有するように作成されてもよい。（少なくとも１つの）スナップ要素は、付属品の対応するレセプタクルに導入され、そのレセプタクルに、例えば、１つ以上のバネ要素によって取り付けられてもよい。
【００２７】
付属品接続要素は、アダプタ要素及び／又は被覆パネルに取り付けられるようにさらに構成されてもよい。このため、被覆パネルは、付属品接続要素を嵌合して取り付けることができる少なくとも１つの一体型締結具を有してもよい。これとは別に、あるいはこれに加えて、被覆パネルは、例えば、ネジによって付属品接続要素を取り付けることができる開口部を有してもよい。この場合にはこのほか、アダプタ要素は、取付要素のための余地を与え、締結具を付属品接続要素からアダプタ要素に取り付けるために、さらに開口部を有してもよい。例えば、付属品接続要素の開口部と被覆パネルの開口部とを通して、（例えば、アダプタ要素の開口部の雌ネジ又はセルフタッピンネジのいずれかによって）アダプタ要素の対応する開口部にネジを取り付けてもよい。
【００２８】
別の代替的実施形態では、付属品接続要素は、被覆パネルと一体に形成されてもよい。
【００２９】
別の実施態様によれば、付属品取付台は、アダプタ要素と被覆パネルとの間に配置されたシールをさらに備えてもよい。シールは付属品取付台への液体をはじめとする不純物の浸入を防止する。
【００３０】
実施形態の一変形例では、シールは、アダプタ要素の対応する凹部に形状を適合させる方法で敷設されるように構成される厚肉部を有してもよい。例えば、凹部は、前面を形成するアダプタ要素の平板上に周方向に配置されてもよく、シールは、前面を形成するアダプタ要素の平板の少なくとも周囲に対応する形状を有してもよい。厚肉部を有するシールをアダプタ要素の対応する凹部に敷設することにより、シールは、付属品及び／又は被覆パネルの固定時の滑り止めであってもよい。
【００３１】
これとは別に、あるいはこれに加えて、シールは、付属品取付台の奥行き方向に配置された連続部を備えてもよい。シールの連続部は、基礎取付台及び／又はアダプタ要素を少なくとも部分的に包囲するように、即ち、シールの外側縁部に沿って配置されるように構成されてもよい。
【００３２】
別の実施形態の変形例では、被覆パネルは、別の要素を受容するように構成される少なくとも１つの開口部を有してもよい。例えば、被覆パネルの開口部は、石鹸ディスペンサーを受容するか、洗面台排水口を開閉する機構の作動要素を受容するように構成されてもよい。被覆パネルの開口部は、被覆パネルの任意の場所に配置されてもよい。例えば、洗面台排水口の作動要素のための開口部を、石鹸ディスペンサーのための開口部よりも付属品が取り付けられた被覆パネルの一部の近くに配置してもよい。
【００３３】
第２の態様によれば、第１の態様又はその実施形態の変形例の１つによる付属品取付台を備える乗り物用化粧室が設けられる。
【００３４】
第３の態様によれば、乗り物が第１の態様又はその実施形態の変形例の１つによる付属品取付台を備える。
【００３５】
上記の態様及び詳細の一部を付属品取付台を参照して説明したが、このような態様をこのほか、車載用化粧室の壁をはじめとするモジュールにて、対応する方法で実現することが可能である。また、付属品取付台の記載された特徴は、単独の特徴として理解する必要はない。それどころか、付属品取付台の全特徴は、任意の数の記載されている他の特徴と組み合わせてもよい。
【００３６】
これまでに挙げたものとは別の特徴、属性、利点及び可能な変形が、添付の図面を参照する以下の説明によって当業者には明らかになる。本明細書に記載及び／又は図示された全特徴から、本明細書では目的がそれぞれの特徴自体、あるいは任意の組み合わせによって開示されていることが視覚的にわかる。図面に示された構成要素の寸法及び比率は、正確な縮尺ではない。
【図面の簡単な説明】
【００３７】
本発明は、図面によってさらに説明される。以下の図面は概略図である。
【図１】付属品取付台の基礎取付台の斜視図。
【図２】付属品取付台の第１のタイプのアダプタ要素と、基礎取付台に挿入されたアダプタ要素の斜視図。
【図３】付属品取付台の第２のタイプのアダプタ要素と、基礎取付台に挿入されたアダプタ要素の斜視図。
【図４】第１のタイプのアダプタ要素を備える付属品取付台に固定された被覆パネルと、そのような被覆パネル上の付属品の別の配置の斜視図。
【図５】被覆パネルと付属品を備えるアダプタ取付台の図４の断面線Ａ‐Ａに沿った断面図と、この断面図のシールの詳細図。
【図６】第１のタイプのアダプタ要素を備える付属品取付台に固定された被覆パネルと、そのような被覆パネル上の付属品の別の配置の斜視図。
【図７】被覆パネルにさらに固定される付属品接続要素を備える図６の被覆パネルの斜視図。
【図８】被覆パネルと付属品を備えるアダプタ取付台の図６の断面線Ｂ‐Ｂに沿った断面図と、この断面図のシールの詳細図。
【図９】第２のタイプのアダプタ要素を備える付属品取付台に固定された被覆パネルと、そのような被覆パネル上の付属品の別の配置の斜視図。
【図１０】被覆パネルと付属品を備えるアダプタ取付台の図９の断面線Ｃ‐Ｃに沿った断面図と、この断面図のシールの詳細図。
【図１１】付属品取付台の基礎取付台の斜視図、正面図、側面図及び断面図と、基礎取付台及びアダプタ要素の斜視図。
【図１２】アダプタ要素のさまざまな実施形態の正面斜視図と、このような実施形態の１つの背面斜視図。
【図１３】第１の実施形態の付属品取付台による付属品の設置の順序を概略的に示す図。
【図１４】付属品取付台を設置した化粧室の一部の斜視図と、設置した付属品取付台の２つの断面図。
【図１５】第２の実施形態の付属品取付台による付属品の設置の順序を概略的に示す図。
【図１６】第３の実施形態の付属品取付台による付属品の設置の順序を概略的に示す図。
【図１７】第４の実施形態の付属品取付台による付属品の設置の順序を概略的に示す図。
【発明を実施するための形態】
【００３８】
以下、本明細書に限定されることなく、本発明の完全な理解を提供するために、具体的な詳細を説明する。しかし、当業者には、本発明が、以下に記載される詳細から逸脱することがある他の例示的実施形態にて使用され得ることは明らかである。また、ここに挙げた図は、例示的実施形態を図示するためだけに使用される。このような図は縮尺が正確ではなく、本発明の一般的概念を例として反映することのみを意図している。例えば、図に含まれている特徴は、必要な構成要素と考える必要はない。
【００３９】
比較可能な構成要素及び特徴、あるいは同一の構成要素及び特徴と、同一の効果を有する構成要素及び特徴にはそれぞれ、図面では同一の参照符号が付与される。場合によっては、個々の特徴及び構成要素の参照符号が、ある図面では明瞭化のために省略され、他の図面では参照符号がこのような特徴及び構成要素に付与されている。
【００４０】
本明細書では、１つ以上の「締結具」（fasteners）が参照される。２つの構成要素、部品などの取り付けを容易にする任意の適切な固定具又は装置は、１つ以上の締結具であると理解する必要がある。（標準ネジ山及び／又はセルフタップ付き）ネジ、ネジ山付き棒、ナット、雌ネジ、（締付け要素付きか締付け要素のない）ピン又はボルト、スナップ要素、リベット及び接着された継手が締結具として引用される。
【００４１】
図１は付属品取付台の基礎取付台１００の概略斜視図である。基礎取付台１００は、第１の取付装置１０５と第２の取付装置１１０を有する。第１の取付装置１０５は、基礎取付台１００（ひいては付属品取付台）を取り付けるために用いられる。例えば、基礎取付台１００は平坦な円盤状構成要素を有することができる。この構成要素では、第１の取付装置１０５は、乗り物又は乗り物用化粧室の壁をはじめとするモジュールに取り付けられる締結具を受容する開口部の形態で設けられる。これに加えて、基礎取付台１００はこのほか、基礎取付台１００を壁又はモジュールと平行にし、さらに壁又はモジュールに取り付けるために、１つ以上の取付装置１０６を有することができる。基礎取付台１００は、ねじりに耐えるように、１つ以上の他の取付装置１０６によって固定することができる。図１に示される他の取付装置１０６は、（図１では基礎取付台１００の対応する右側エリアが隠れているが）基礎取付台１００の両側に同時に配置することができる。
【００４２】
これに加えて、基礎取付台１００は第２の取付装置１１０を備えることができる。この第２の取付装置１１０は、さらに詳細に説明されるアダプタ要素の結合と、取り外し可能な取り付けのために用いられる。例えば、第２の取付装置１１０は、締結具を受容する開口部を有する円筒状構成要素であってもよい。
【００４３】
さらに、基礎取付台１００は、アダプタ要素の円周案内面を少なくとも部分的に包囲するように構成される内側案内面１２０を有することができる。図１では、内側案内面１２０は、基礎取付台１００の平坦な円盤状構成要素に実質的に直交して配置された構成要素によって形成される。換言すれば、基礎取付台１００の平坦な円盤状構成要素は、内側案内面１２０を形成する構成要素の外側に配置されるフランジを形成する。内側案内面１２０を形成するこの構成要素は、基礎取付台１００の平坦な円盤状構成要素の（図１の視線方向での）前側及び／又は後側に配置され得る。片側のみに配置することにより、基礎取付台を連続壁又はモジュールに取り付けることを可能にする。しかし、壁又はモジュールに付属品取付台のための開口部又はレセプタクルを設ける必要がある場合には、内側案内面１２０を形成する構成要素はこのほか、壁又はモジュールにて基礎取付台１００の開口部又はレセプタクルに面する側の一部又は全体に配置され得る。例えば、適切な開口部又はレセプタクルにて出現して付属品に接続されるラインを壁又はモジュールに配置することができる。
【００４４】
基礎取付台１００は一体に形成することができる。これは、円盤状構成要素、内側案内面１２０を形成する構成要素及び／又は第２の取付装置１１０を形成する基礎取付台１００の円筒状構成要素が一体的に形成することができることを意味する。これとは別に、基礎取付台１００の構成要素の１つ以上を、別々に製造して（少なくとも１つの）他の構成要素と組みあわせて基礎取付台１００を作成し、相互に接続してもよい。
【００４５】
図２は、付属品取付台の第１のタイプのアダプタ要素２００と、基礎取付台１００に挿入されたアダプタ要素２００の概略斜視図である。アダプタ要素２００は同じように、第１の平坦な円盤状構成要素を有する。この円盤状構成要素からは、第２の構成要素がこの円盤状構成要素に実質的に直交して延びる。
【００４６】
アダプタ要素２００もまた、一体に形成することができる。これとは別に、アダプタ要素の構成要素を個別に製造し、組み立てて相互に接続してもよい。
【００４７】
本明細書で説明する付属品取付台の斜視図では、付属品取付台の前面側とその構成部品を目に見えるように示す。前面側とは、付属品が固定される側である。このため、背面側は（通常は）見えない。付属品取付台とその構成部品の奥行き方向は、前面側から背面側に延びる。
【００４８】
アダプタ要素２００の第１の構成要素は、基礎取付台１００の第２の取付装置１１０に結合され、第２の取付装置１１０に取り外し可能に取り付けられるために、結合装置２１０を有する。結合装置２１０は、簡素な実施形態では開口部を構成することができる。この開口部を通って締結具２６０を導くことができ、これにより、基礎取付台１００の第２の取付装置１１０との摩擦接続を発生させる。これに加えて、結合装置２１０は凹部を備えることができる。この凹部では、締結具２６０のヘッドを受容することができるため、ヘッドがアダプタ要素２００の第１の平坦な円盤状構成要素から突出しない。
【００４９】
これとは別に、あるいはこれに加えて、アダプタ要素２００の結合装置２１０はこのほか、第２の取付装置１１０を少なくとも部分的に囲むか包囲する構成要素、あるいは他の方法でアダプタ要素２００と基礎取付台１００との間を結合する構成要素を備えてもよい。このため、相互的構成要素を受け入れるための対応する開口部及び／又は案内面をアダプタ要素２００の結合装置２１０と基礎取付台の第２の取付装置１１０に設けることができる。このため、例えば、締結具２６０の傍らに、（図示しない）構成要素をアダプタ要素２００の後側に配置することができる。この構成要素は、基礎取付台１００の第２の取付装置１１０の外側を少なくとも部分的に囲む（図１）。アダプタ要素２００のそのような構成要素は、図２にて上方に向けられた長孔形状の開口部を有する円筒形であり、その内面は、基礎取付台１００の第２の取付装置１１０の外面に沿って摺動することができ、このようにして、アダプタ要素２００を形状を適合させる方法で基礎取付台１００に結合する。
【００５０】
アダプタ要素２００の第１の平坦な円盤状構成要素には、付属品構成要素を受容するように構成された少なくとも１つの開口部２３１〜２３５が設けられる。ここで、少なくとも１つの開口部２３１〜２３５は、付属品構成要素を、形状を適合させる方法で受容するように構成されてもよい。例えば、少なくとも１つの開口部２３１〜２３５の開口部２３３、２３４、２３５（又はいくつかの開口部）が、付属品構成要素（の大部分）に対応する開口部断面を有することができ、その結果、開口部２３３、２３４、２３５の内側が、形状を適合させる方法で付属品構成要素上に少なくとも部分的に載置される。アダプタ要素２００の内部から少なくとも１つの開口部２３１〜２３５の１つを介してアダプタ要素２００の前面に導かれるラインの少なくとも一部を、付属品構成要素とすることも可能である。付属品は、そのようなラインの端部分に取り付けることができる。この端部分は、アダプタ要素２００の平坦な円盤状構成要素を介して突出する。
【００５１】
これとは別に、付属品構成要素はこのほか、既に付属品に接続され、アダプタ要素２００の前面からアダプタ要素２００の奥行き方向に少なくとも１つの開口部２３１〜２３５のうちの１つを介してアダプタ要素２００内に導かれてもよい。この場合、少なくとも１つの開口部２３１〜２３５の同一の開口部及び／又は別の開口部は、アダプタ要素を介して付属品から／付属品へラインを導くように構成され得る。例えば、付属品の給水管を、１つの開口部２３１を通して導き、電気ケーブルを、別の開口部２３２を介して付属品へ／付属品から導くことができる。当然、付属品の線をこのほか、付属品構成要素と形状適合する開口部２３３〜２３５を介して導くことができる。
【００５２】
別の実施形態では、アダプタ要素２００は、少なくとも１つの突起２４２を有してもよい。少なくとも１つの突起２４２は、アダプタ要素２００の第１の平坦な円盤状構成要素の前側（付属品に面する側）に配置され、前側の方向に延びることができる。この少なくとも１つの突起２４２は、付属品を含む他の構成要素への形状適合接続のために使用される。
【００５３】
アダプタ要素２００は円周案内面２４０をさらに有する。円周案内面２４０は、アダプタ要素２００の第１の平坦な円盤状構成要素の外側に実質的に直交して延びるアダプタ要素２００の第２の構成要素によって形成されてもよい。この場合、図２に示すように、アダプタ要素２００の第１の構成要素は、アダプタ要素２００の第２の構成要素の前端に設けることができる。これとは別に、アダプタ要素２００の第１の構成要素は、アダプタ要素の第２の構成要素の後側、あるいはアダプタ要素２００の第２の構成要素の前端と後端の間の位置に配置されてもよい。このようにして、必要に応じて、付属品のための前側の設置空間及び／又はライン及び／又は締結具のための後側設置空間を形成することができる。
【００５４】
図２の右側には、基礎取付台１００と、基礎取付台１００に挿入され取り付けられたアダプタ要素２００とからなる付属品取付台が示される。ここでは、アダプタ要素２００は、その円周案内面２４０が基礎要素１００の内側案内面１２０に沿うように、内側案内面１２０の内側の領域内に押し込まれる。次に、締結具２６０を、アダプタ要素２００の開口部２１０を通して導き、基礎取付台１００の第２の取付装置１１０に締結する。アダプタ要素２００の円周案内面２４０は、例えば、第２の取付装置１１０のような基礎取付台１００の要素を受容するために、開口部又は（円周方向の）間隙を有してもよい。
【００５５】
基礎取付台１００は、その後側（付属品から遠ざかる側）に、内向きの縁部１２１を有することができる（図１）。例えば、内向きの縁部１２１は、後側の内側案内面の縁部に沿って延びることができる。この内側に向いた縁部１２１は、アダプタ要素２００の停止部として作動し、このために、（特に、締結具２６０による取り付けの後に）アダプタ要素２００と基礎取付台１００との間に形状適合がさらに発生する。
【００５６】
付属品取付台は、基礎取付台１００とアダプタ要素２００との間の断面線（断面縁部）を封止するシール２５０をさらに備えることができる。これにより、液体をはじめとする不純物が基礎取付台１００とアダプタ要素２００との間、あるいは基礎取付台１００の後ろに侵入するのを防ぐ。
【００５７】
図３は、付属品取付台の第２のタイプのアダプタ要素３００と、基礎取付台１００に挿入されたアダプタ要素３００の概略斜視図を示す。第１のタイプのアダプタ要素２００の要素及び構成要素に対応するか、同一の機能を有する第２のタイプのアダプタ要素３００の要素及び構成要素には、第１のタイプのアダプタ要素２００に値１００を足した値に対応する参照符号を付与する。
【００５８】
このように、アダプタ要素３００は第１の平坦な円盤状部分を有する。この部分内／部分上には、アダプタ要素２００の結合装置２１０と同じ方法で設計することができる結合装置３１０が設けられる。アダプタ要素３００は同じように、第１のタイプのアダプタ要素２００の円周案内面２４０に対応する円周案内面３４０を有する。
【００５９】
第１のタイプのアダプタ要素２００とは対照的に、第２のタイプのアダプタ要素３００は、付属品構成要素を受容するように構成された単一の大きな開口部３２１を有する。開口部３２１は内側案内面３２５を有する。この案内面に沿って付属品構成要素の外面が摺動することにより、付属品（構成要素）とアダプタ要素３００との間に形状適合が発生する。
【００６０】
付属品（構成要素）とアダプタ要素３００との間の摩擦結合のために、後側（付属品から遠ざかる側）に取付要素３３１〜３３４が設けられる。このような取付要素３３１〜３３４は、開口部３２１に導入される付属品構成要素との摩擦接続を発生させる締結具（ネジ、ピン、ボルトなど）を導くことができる開口部を有することができる。ここで、締結具は、アダプタ要素３００の前面から付属品構成要素を介して対応する取付要素３３１〜３３４内に導くか、アダプタ要素３００の後側から対応する取付要素３３１〜３３４を介して付属品構成要素の後側に導くことができる。
【００６１】
図３の右側の領域に示すように、第１のタイプのアダプタ要素２００にも使用できるものと同一の基礎取付台１００を、第２のタイプのアダプタ要素３００に使用することができる。基礎取付台１００の内側案内面１２０と、アダプタ要素２００、３００の円周案内面２４０、３４０との相互作用により、異なるアダプタ要素２００、３００を同一の基礎取付台１００に挿入することができる。
【００６２】
第２のタイプのアダプタ要素３００を備えた付属品取付台にはこのほか、図２のシール２５０と同一の形状及び寸法のシール２５０を装備することができる。
【００６３】
アダプタ要素２００、３００を、あるタイプの付属品に対して構成することができるが、これとは別に、いくつかのタイプの付属品に対して使用してもよい。開口部２３１〜２３５、３２１のほか、適用可能な場合には取付要素３３１〜３３４の位置、寸法、配置のみを、１つ以上のタイプの付属品に適合させる必要がある。
【００６４】
図４は、第１のタイプのアダプタ要素２００を備えた付属品取付台に固定された被覆パネル４１０と、そのような被覆パネル４１０上の付属品５１０の別の配置を示す概略斜視図である。この場合、被覆パネル４１０は、アダプタ要素２００と付属品５１０との間に固定されるように構成される。被覆パネル４１０は少なくとも１つのレセプタクルを有することができる。このレセプタクル内には、アダプタ要素２００の少なくとも１つの突起２４２が突出する。図４では、被覆パネル４１０の２つのレセプタクルが、開口部（例えば、それぞれの穴）として示される。このレセプタクルの中には、それぞれの場合に、アダプタ要素２００の突起２４２が突出する。
【００６５】
被覆パネル４１０は、付属品構成要素を受容するように構成された少なくとも１つの開口部４１１、４１２をさらに有する。図２と図４との比較から、被覆パネル４１０の開口部４１１は、アダプタ要素２００の開口部２３１に対応し、被覆パネル４１０の開口部４１２は、アダプタ要素２００の開口部２３２に対応することを認識すべきである。即ち、２つの開口部は、レセプタクル（開口部）を有する被覆パネル４１０がアダプタ要素２００の突起２４２上に配置されたときに、互いに一致する。
【００６６】
一実施態様によれば、図４に示すように、被覆パネル４１０は、付属品取付台の基礎取付台１００の一部のみを覆うように構成されてもよい。例えば、基礎取付台１００の第１の取付装置１０５が配置されている基礎取付台１００の部分を、被覆パネルによって覆うことはできない。これにより、締結具を基礎取付台１００の取付装置１０５を介して導き、壁又は別のモジュールに取り付けることができる。取付装置１０５へのアクセスがこのように容易になるため、付属品取付台と被覆パネル４１０の交換を迅速かつ容易に実施することができる。
【００６７】
図４の右側領域に示される付属品５１０は付属品取付台に取り付けることができる。ここでは、少なくとも１つの付属品構成要素が、アダプタ要素２００の開口部２３１、２３２と、被覆パネル４１０の対応する開口部４１１、４１２を介して導かれる。例えば、給水管５１１及び／又は電気ケーブル５１２のような１本以上のラインを、被覆パネル４１０とアダプタ要素２００を介して付属品から／付属品へ導くことができる。付属品は、アダプタ要素２００の前側と、適用可能な場合には、被覆パネル４１０の前側に突出するライン５１１、５１２の端部に取り付けることができる。
【００６８】
このことは、被覆パネル４１０及び付属品５１０を有するアダプタ取付台の図４の右側の領域に示される断面線Ａ‐Ａに沿う概略断面図のほか、この断面図から得られるシールの詳細図を示す図５にて認識すべきである。図５には、Ｌ型継手を介して付属品５１０に接続される給水管５１１が示される。付属品内に突出している給水管５１１の部分は、例えば、付属品構成要素を表す。図５の右側を向いている給水管５１１の端部が被覆パネル４１０を越えて突出する。付属品５１０は、給水管５１１のこの突出端部に載置され、付属品５１０は、締結具５１５によって給水管５１１（付属品構成要素）の端部に取り付けられる。これとは別に、給水管５１１はこのほか、付属品５１０に取り付けられ、付属品５１０の後側から突出してもよい。この場合、付属品５１０は、締結具（例えば、図５に図示しないナット）によってアダプタ要素２００の平坦な円盤状構成要素の裏側に取り付けることができる。
【００６９】
給水管５１１は、アダプタ要素２００に完全に受容されるように付属品取付台に配置することができる。ここで、基礎取付台１００は、その下端部に、給水管５１１を導くことができる開口部を有する。この開口部は、特に内側案内面１２０では、内側案内面１２０が完全に途切れた部分として図１に示される。当然のことながら、１つ以上のライン５１１のための開口部はこのほか、内側案内面１２０の一部のみを途切れさせることができる。これに対応して、アダプタ要素２００の円周案内面２４０はこのほか、円周案内面２４０の開口部及び／又は途切れ部分を有する。
【００７０】
また、図５から、取付装置１０５を介して乗り物の任意の壁又はモジュールに基礎取付台１００を取り付けることができ、被覆パネル４１０の上方で取付装置１０５にアクセス可能であることを認識すべきである。アダプタ要素２００は、結合装置２１０と基礎取付台１００の第１の取付装置１０５を介して、締結具２６０によって基礎取付台に結合され、取り外し可能に取り付けられる。
【００７１】
被覆パネル４１０と、基礎取付台１００と、アダプタ要素２００との間にはシール２５０がされに配置される。図５の詳細図からわかるように、シール２５０は、形状を適合させる方法でアダプタ要素２００の対応する凹部２１１に挿入されるように設計された厚肉部２５１を任意に有することができる。これにより、シール５０は、被覆パネル４１０及び／又は付属品５１０を載置している間にシール２５０が滑り落ちることなく、（アダプタ要素２００と基礎取付台１００とからなる）付属品取付台に固定することができる。
【００７２】
図６は、第１のタイプのアダプタ要素２００を備えた付属品取付台に固定された別の被覆パネル４２０と、そのような被覆パネル４２０上の付属品５２０の別の配置を示す概略斜視図である。図４の被覆パネル４１０に対応して、被覆パネル４２０は、レセプタクル（例えば、開口部）であって、その内部にアダプタ要素２００の突起２４２が突出するレセプタクルを有する。被覆パネル４２０のアダプタ要素２００に対する位置は、これによって定められる。
【００７３】
図４の被覆パネル４１０とは対照的に、図６の被覆パネル４２０は、他の開口部を有する。まず、開口部４２１、４２２及び４２３は、それぞれの付属品構成要素、例えば、給水管５１１、電気ケーブル５１２及び／又は付属品５２０を付属品取付台（特に、アダプタ要素２００）に取り付けるための付属品構成要素を受容するのに役立つ。開口部４２１〜４２３は、ここでは、アダプタ要素２００の開口部２３３、２３４及び２３５に対応し、即ち、被覆パネル４２０がそのレセプタクルと、付属品取付台上のアダプタ要素２００の突起２４２とによって配置されているときに、開口部２３３、２３４及び２３５に重なる。これにより、アダプタ要素２００は、その中に開口部２３１〜２３５があると想定されるため（図４及び図６を参照）、異なる被覆パネル４１０、４２０及び異なる付属品５１０、５２０に使用することができる。
【００７４】
被覆パネル４２０はこのほか、他の開口部４２４〜４２６を有する。このような開口部を介して、締結具が導かれて、アダプタ要素２００上の付属品取付台の他の部分を固定して締結することができる。このため、図７に示すように、付属品接続要素４５０を、被覆パネル４２０上の１つのタイプの付属品（例えば、付属品５２０）に固定することができる。付属品接続要素４５０は、被覆パネル４２０の開口部４２４〜４２６と、アダプタ要素２００の開口部２１０、２２１、２２２とに対応する少なくとも１つの開口部を有する。このため、付属品接続要素４５０は、被覆パネル４２０と共に、締結具２６０と別の締結具４６０とによってアダプタ要素２００に取り付けることができる。これとは別に、付属品接続要素４５０は、被覆パネル４２０と一体に製造することができる。付属品接続要素４５０は、少なくとも部分的に付属品５２０に導入され、付属品５２０に取り付けられるように構成される少なくとも１つの突起４５５、４５６を有する。
【００７５】
付属品接続要素４５０は、開口部４５１、４５２、４５３をさらに有することができる。このような開口部を通って、付属品５２０及び／又は少なくとも１つの他の付属品構成要素のラインが導かれる。付属品接続要素４５０が被覆パネル４２０に取り付けられる場合、開口部４５１〜４５３は、被覆パネル４２０の開口部４２１〜４２３に対応し、その結果、ライン及び／又は（少なくとも１つの）付属品構成要素がこのほか、被覆パネル４２０とアダプタ要素２００を介して導かれる。
【００７６】
付属品５２０は、付属品接続要素４５０の配置とは無関係に、付属品取付台に固定することができる。図８は、被覆パネル４２０と付属品５２０とを備えるアダプタ取付台の図６の断面線Ｂ‐Ｂに沿う概略断面図と、この断面図のシール２５０の詳細図を示す。図８の断面図は、図５の断面図の反対方向を向いたものである。このため、給水管５１１（図５）は図８では示されていない。これに代えて、電気ケーブル５１２が見える。この電気ケーブルは、被覆パネル４２０の対応する開口部４２１と、アダプタ要素２００の開口部２３３と（このほか任意に、付属品接続要素４５０の開口部４５１）を通して導かれる。図示される電気ケーブル５１２の端部では、電気ケーブルを正常に電源に接続することができる。電気ケーブル５１２は、付属品５２０の給水を非接触で起動することを可能にするセンサ５２１の電気的接続に使用することができる。
【００７７】
図８からわかるように、締結具２６０は、付属品接続要素４５０と、被覆パネル４２０と、アダプタ要素２００と、基礎取付台１００とを相互に接続するのに用いられる。これにより、付属品５２０を固定する際の締結具の数が減少し、付属品５２０の組み立て時間が短縮される。
【００７８】
この実施態様ではこのほか、厚肉部２５１を任意に有するシール２５０が設けられる。シール２５０は、図２に示すように、基礎取付台１００とアダプタ要素２００との間の断面縁部全体を封止することができる。
【００７９】
図９は、第２のタイプのアダプタ要素３００を有する付属品取付台に固定される別の被覆パネル４３０と、そのような被覆パネル４３０上の付属品５３０の別の配置とを示す概略斜視図である。被覆パネル４３０は、特に単一の開口部４３１のみが設けられているという点で、被覆パネル４１０（図４）及び被覆パネル４２０（図６）とは異なる。被覆パネル４３０は、ここでは、その開口部４３１と共に、付属品５３０が第２のタイプのアダプタ要素３００に挿入される前に、形状に適合させる方法で付属品５３０上に載置することができる。これにより、第１のタイプのアダプタ要素２００の突起２４２と、被覆パネル４１０、４２０内の対応するレセプタクルとが除去される。
【００８０】
これとは別に、付属品５３０はこのほか、２つの部分で形成されてもよい。この場合、被覆パネル４３０は（図示しない）付属品台座上に載置され、アダプタ要素３００の開口部３２１に挿入される。
【００８１】
図１０は、被覆パネル３００と付属品５３０とを備えるアダプタ取付台の図９の断面線Ｃ‐Ｃに沿う概略断面図のほか、この断面図のシール２５０の詳細図を示す。アダプタ要素３００と付属品５３０とを固定する場合には、まずアダプタ要素３００が基礎取付台１００に挿入され、締結具２６０により基礎取付台に取り外し可能に取り付けられる。次に、シール２５０が固定される。例えば、オプションの厚肉部２５１は、アダプタ要素３００の対応する凹部３１１に導かれ、これにより、シール２５０は滑りに対抗して固定され得る。次に、被覆パネル４３０は付属品取付台に載置され固定されるか、それまでに付属品５３０に押し付けられるか、あるいは付属品台座に押し付けられる。次に、付属品５３０、あるいは付属品台座がアダプタ要素３００の開口部３２１に挿入される。次に、付属品５３０又は付属品台座が、締結具によって取付要素３３１〜３３４に取り外し可能に取り付けられる。付属品台座を備える２つの部分に分かれた付属品５３０の場合は、付属品５３０の残りの部分を付属品台座に載置させて取り付ける。
【００８２】
付属品取付台の裏側（付属品５３０から遠い側）には、給水管５１１及び／又は（図１０に示しない）電気ケーブルを導出することができる。これとは別に、給水管５１１及び／又は電気ケーブルは、図５に示すように、側面、上方又は下方に導いてもよい。この実施形態ではこのほか、電気ケーブルは、センサ５３１を電源に接続するのに使用される。
【００８３】
図１１〜図１７は、付属品取付台の他の実施形態と実施の変形例を示す。図１１〜図１７に示され説明されている付属品取付台からは、アダプタ要素を図１の基礎取付台１００にも挿入できることがわかる。これとは逆に、図１１〜図１７に示される基礎取付台１１００は、図２及び図３のアダプタ要素２００、３００にも使用することができる。
【００８４】
図１１は、（ａ）付属品取付台の基礎取付台１１００の斜視図と、（ｂ）基礎取付台１１００の正面図と、（ｃ）基礎取付台１１００及びアダプタ要素１２００の斜視図と、（ｄ）基礎取付台１１００の側面図と、（ｅ）基礎取付台１１００の断面線Ｄ‐Ｄに沿った断面図とを示す。図１に示す基礎取付台１００と同じようにこのほか、図１１に示す基礎取付台１１００は、第１の取付装置１１０５と第２の取付装置１１１０とを有する。第１の取付装置１１０５は、基礎取付台１１００（ひいては付属品取付台）を乗り物又は乗り物用化粧室の壁をはじめとするモジュールに取り付けるのに用いられる。第２の取付装置１１１０は、さらに詳細に以下で説明するアダプタ要素２００、３００、１２００をはじめとするアダプタ要素への結合及び取外し可能な取り付けに役立つ。例えば、第２の取付装置１１１０は、締結具を受容する開口部を有することができる。
【００８５】
基礎取付台１１００はさらに、アダプタ要素２００、３００、１２００の円周案内面１２４０を少なくとも部分的に包囲するように構成された内側案内面１１２０を有する。内側案内面１１２０は、基礎取付台１１００の奥行き方向に実質的に延びる、基礎取付台１１００の構成要素によって形成される。この構成要素から外側に突出して形成されているのは、第１の取付装置１１０５を備えるフランジ１１０１である。このフランジは、例えば、締結具を通過させるための開口部の形態である。フランジ１１０１は、内側案内面１１２０を形成する基礎取付台１１００の構成要素と一体的に形成されるか、別個に製造されてもよく、内側案内面１１２０を形成する基礎取付台１１００の構成要素に接続されてもよい。
【００８６】
これに加えて、基礎取付台１１００はこのほか、基礎取付台１１００を乗り物の壁又はモジュールと平行にすると同時に取り付けるために、１つ以上の他の取付装置１１０６を有することができる。基礎取付台１１００は、１つ以上の他の取付装置１１０６によって捻じれないように固定することができる。１つ以上の他の取付装置１１０６は、長孔として形成することができ、これにより、基礎取付台１１００を平行にするのが容易になる。第１の取付装置１１０５及び／又は他の取付装置１１０６は、図１１（ｂ）に特に示すように、基礎取付台１１００の両側に配置することができる。
【００８７】
フランジ１１０１は、図１１（ｄ）に示すように、基礎取付台１１００の奥行き方向に非対称に固定することができる。これにより、基礎取付台１１００をフランジ１１０１の両側それぞれによって乗り物の壁又はモジュールに取り付けることができるという利点がある。この場合、内側案内面１１２０を形成する基礎取付台１１００の構成要素は、距離Ｘ１又はＸ２のいずれかに、乗り物の壁又はモジュールからのフランジ１１０１の厚さを加えた分だけ突出する。このため、同一の基礎取付台１１００を、さまざまな厚さの壁又はさまざまな厚さのカバーに使用することができる。フランジ１１０１はこのほか、当然のことながら、対称的に配置されるか、基礎取付台１１０１の一方の側に配置されてもよい。即ち、図１１（ｄ）に示す距離Ｘ１又はＸ２のいずれかはゼロに等しい。
【００８８】
図１１（ｅ）では、第２の取付装置１１１０は、基礎取付台１１００の内部に対称的に配置されることを認識すべきである。第２の取付装置１１１０の片側と、基礎取付台１１００の対応する前端又は後端との間の距離Ｘ３及びＸ４は、この場合等しく、アダプタ要素２００、３００が基礎取付台１１００の前端又は後端と同一平面で基礎取付台１１００に設置されるように選択される。アダプタ要素２００、３００を、基礎取付台１１００に結合し、基礎取付台１１００の設置方向とは無関係に取り付けることができる。図１１に示すものとは異なる距離Ｘ３及びＸ４をこのほか、当然のことながら、選択してもよい。
【００８９】
図１１（ｃ）に示すアダプタ要素１２００は、図２のアダプタ要素２００と同じように構成され、既に図４に示し説明しているように付属品５１０を受容するために使用される。このため、アダプタ要素１２００のための同一の要素に関する記載は省略されるか、短縮されている。アダプタ要素１２００はさらに、円周案内面１２４０を有する。これにより、アダプタ要素１２００は、基礎取付台１１００又はほかにも基礎取付台１００に形状を適合させる方法で挿入することができる。ここで、円周案内面１２４０は、基礎取付台１１００の内側案内面１１２０に沿って摺動する。アダプタ要素１２００は、基礎取付台１１００の第２の取付装置１１１０を受容するように構成された円周案内面１２４０に開口部又は途切れ部を有する。例えば、円周案内面１２４０の開口部又は途切れ部は、その部分に少なくとも１つの案内面１２１５を有することができる。この案内面は、アダプタ要素１２００が基礎取付台１１００に挿入されるときに第２の取付装置１１１０の対応する外側面１１１１に当接する。これにより、アダプタ要素１２００と基礎取付台１１００との間に追加の形状適合が発生する。
【００９０】
図１２は、アダプタ要素１２００、１２０１、１３００、１６００の種々の実施形態の正面斜視図のほか、このような実施形態の１つの後面斜視図である。アダプタ要素１２００、１２０１、１３００、１６００はいずれも同一の基礎取付台１１００又は１００に挿入することができる。図１２（ａ）を参照すると、図２のアダプタ要素２００とほぼ同じアダプタ要素１２００が示される。アダプタ要素２００の特徴と同一であるか同一の機能を有するアダプタ要素１２００の特徴には、同一の参照符号に値１０００を加えたものが付与される。アダプタ要素１２００を基礎取付台１１００に取り付ける取付装置１２１０とは別に、少なくとも部分的に基礎取付台１１００の内側案内面１１２０に対応する円周案内面１２４０が設けられる。
【００９１】
付属品構成要素を受容するために、少なくとも１つの開口部１２３１、１２３２が設けられる。この少なくとも１つの開口部１２３１、１２３２は、アダプタ要素２００の開口部２３１〜２３５について記載され図示された特徴の１つ又は全部を有することができる。少なくとも１つの開口部１２３１、１２３２は、アダプタ要素１２００の平坦な円盤状構成要素上に配置される。同じように、突起１２４３を、アダプタ要素１２００の平坦な円盤状構成要素上に位置づけることができる。最後に、アダプタ要素１２００は、例えば、アダプタ要素１２００の平坦な円盤状構成要素の平面又はこれと平行な平面にて延びる突起１２１６を有する。突起１２１６は、アダプタ要素１２００の平坦な円盤状構成要素の厚さよりも小さい（アダプタ要素１２００の奥行き方向の）厚さを有する。突起１２１６は、基礎取付台１１００の内側案内面１１２０に設けられ得る開口部又は途切れ部を閉じるために使用される。
【００９２】
図１２（ｂ）は、アダプタ要素１６００の別の実行変形例を示す。このアダプタ要素１６００はこのほか、アダプタ要素１６００を基礎取付台１１００に取り付けるための取付装置１６１０とは別に、基礎取付台１１００の内側案内面１１２０に少なくとも部分的に対応する円周面１６４０を有する。また、アダプタ要素１２００の突起１２１６の特徴の１つ又は全部を有することができる突起１６１６を任意に設けることができる。アダプタ要素１６００は、付属品構成要素を受容するように構成された単一の大きな開口部１６３１によって特徴づけられる。被覆パネルを取り付けるために、開口部１６２１〜１６２４（例えば、穴）をこのほか、アダプタ要素１６００の平坦な円盤状構成要素に設ける。
【００９３】
別の実施形態が図１２（ｃ）に見られる。このアダプタ要素１３００の変形は、図３のアダプタ要素３００に大部分は対応する。アダプタ要素３００の特徴と同一であるか同一の機能を有するアダプタ要素１３００の特徴には、同一の参照符号に値１０００を加えたものが付与される。このため、このような特徴の説明は省略される。これに加えて、アダプタ要素１２００上の突起１２１６と同じ方法で、突起１３１６をアダプタ要素１３００上に配置することができる。
【００９４】
図２のアダプタ要素２００は、２つの異なるタイプの付属品の固定を容易にする開口部を有しているのに対して、図１２に示す実施形態では、アダプタ要素１２００及び１２０１（図１２（ｄ）を参照）が別々にその都度設けられる。アダプタ要素１２０１は、付属品構成要素を受容するように構成された大きな開口部１２３６を有する。図２のアダプタ要素２００の開口部２２１及び２２２に対応する開口部１２２１、１２２２がさらに配置される。ここでもまた、突起１２１６をアダプタ要素１２０１上に配置することができる。図１２（ａ）のアダプタ要素１２００の特徴と同一の参照符号によって識別される他の特徴の詳細な記載は、アダプタ要素１２００のものと同一であるため、省略される。
【００９５】
図１２（ｅ）では、図１２（ａ）のアダプタ要素１２００の裏側が一例として示される。他のアダプタ要素２００、３００、１２０１、１３００、１６００の裏側は、事実上同一の構成を有する。それぞれのアダプタ要素２００、３００、１２０１、１３００、１６００のほか、適用可能な場合には取付要素１３３１〜１３３４の平坦な円盤状構成要素の（少なくとも１つの）開口部だけは、図１２（ｅ）に示す構成とは異なるであろう。円周案内面１２４０の開口部又は途切れ部と、この開口部又は途切れ部自体の案内面１２１５とは、基礎取付台１１００の第２の取付装置１１１０と（形状適合）結合するためのものであることを認識すべきである。アダプタ要素２００、３００、１２００、１２０１、１３００、１６００の結合装置１２１０は、アダプタ要素の平坦な円盤状構成要素に対して奥行き方向に延びる厚肉部を有することができる。この厚肉部は、アダプタ要素２００、３００、１２００、１２０１、１３００、１６００の端部が基礎取付台１１００の前端と同一平面にある間に結合装置１２１０が基礎取付台１１００の第２の取付装置１１１０の端面に当接するように、寸法決めすることができる。
【００９６】
図１３は、付属品取付台による付属品５１０の設置の順序を、アダプタ要素１２００の第１の実施形態と共に概略的に示す。図１３（ａ）ではまず、基礎取付台１１００の乗り物の壁１０又はモジュール１０への固定が示される。例えば、１つ以上の締結具１１０７を用いて、基礎取付台１１００をその第１の取付装置１１０５にて壁１０又はモジュール１０に取り付けることができる。このために、基礎取付台１１００のための凹部を、壁１０又はモジュール１０に設けることができる。
【００９７】
次に、図１３（ｂ）に示すように、被覆壁１５を壁１０又はモジュール１０に任意に取り付けることができる。この被覆壁１５は化粧室の目に見える壁を構成する。被覆壁１５はこのほか、基礎取付台１１００にアクセスできるように凹部を有する。被覆壁１５の凹部はこのほか、基礎取付台１１００の周囲より若干大きくすることができる。例えば、凹部は基礎取付台１１００の外周よりも１ｍｍ大きくすることができる。これは、図１４に関してさらに詳細に説明するように、シールを受容するために使用される。
【００９８】
図１３（ｃ）〜図１３（ｅ）は、基礎取付台１１００にアダプタ要素１２００を挿入して締結具２６０によってともに取り付けた状態と、シール２５０の固定と、被覆パネル１４１０の固定とを連続的に表す。シール２５０は、アダプタ要素１２００と基礎取付台１１００との間の断面縁部を覆い、可能であればこのほか、被覆壁１５との間を封止するように形成することができる。被覆パネル１４１０は、アダプタ要素１２００の突起１２４３に対応する形状を有する開口部を有する。これにより、アダプタ要素２００と、その突起２４２に関して既に説明したように、被覆パネル１４１０のアダプタ要素１２００への形状適合による固定が発生する。
【００９９】
最後に、付属品５１０は、アダプタ要素１２００の表側の付属品取付台に取り付けられる。付属品構成要素が、この付属品構成要素のためのアダプタ要素から突出することがある。この付属品構成要素には、付属品５１０が取り付けられる。これとは別に、付属品５１０はこのほか、アダプタ要素１２００の少なくとも１つの開口部１２３１、１２３２に受容される付属品構成要素を有してもよい。
【０１００】
図１４は、（ａ）付属品取付台が設置された化粧室の断面斜視図と、（ｂ）設置された付属品取付台の断面図と、（ｃ）設置された付属品取付台のさらに詳細な断面図と、を示す。化粧室は、乗り物の壁１０又はモジュール１０を有し、その壁又はモジュールの前には被覆壁１５が配置される。壁１０又はモジュール１０には、基礎取付台１１００及びアダプタ要素１２０１（ここでは図１２（ｄ）のタイプのもの）がそれまでに接続されていた。シール２５０もそれまでに固定されていた。
【０１０１】
図１４（ｂ）は、設置された付属品取付台の図１４（ａ）の断面線Ｅ‐Ｅに沿った断面図を示す。図１４（ａ）は、壁１０又はモジュール１０を部分的に示すほか、被覆壁１５の厚みを全体的に示す。アダプタ要素１２０１は、その結合装置１２１０が基礎取付台１１００の第２の取付装置１１１０の端部側に当接するように、基礎取付台１１００にて寸法決めされて配置される。この場合、アダプタ要素１２０１は、被覆壁１５の前面と同一平面上に配置される。このために、基礎取付台１１００のフランジ１１０１は、被覆壁１５の壁の厚さと、被覆壁１５と壁１０又はモジュール１０との間の基礎取付台１１００の奥行き方向の隙間とに応じて配置することができる。
【０１０２】
シール２５０は、アダプタ要素１２０１の凹部１２１１（図２の凹部２１１も参照）に敷設され、アダプタ要素１２０１と基礎取付台１１００との間の断面縁部を覆う。シール２５０は、基礎取付台１１００と被覆壁１５との間の隙間に挿入される連続部２５２を任意に有する。これにより、付属品取付台全体を単一のシールで被覆壁１５に対して封止することができる。また、図１４（ｂ）には、シール２５０の連続部２５２が、アダプタ要素１２０１の突起１２１６と被覆壁１５との間の付属品取付台の裏面に位置していることが示される。シール２５０の連続部２５２は、シール２５０の全周に亘って同一の奥行き（付属品取付台の奥行き方向）を有することができる。これとは別に、連続部２５２は、さまざまな奥行きを有することができる。例えば、連続部２５２は、アダプタ要素１２０１の突起１２１６に沿って、奥行きを小さくすることができる。シール２５０は、この状態では、アダプタ要素１２０１と被覆壁１５との間にわずかに突出してもよい。
【０１０３】
図１４（ｃ）では、アダプタ要素１２０１を基礎取付台１１００のほか、被覆パネル１４１０に摩擦により接続する締結具２６０がさらに示される。このほか、アダプタ要素１２０１の前面、特にアダプタ要素１２０１の平坦な円盤状構成要素の前面上の付属品構成要素として突出する給水管５１１が示される。付属品５１０は、概略的に図示された締結具５１５によって摩擦的に給水管に結合される。付属品５１０をアダプタ要素（ここでは給水管５１１）に結合することによって、被覆パネル１４１０はこのほか、締め付けられてアダプタ要素１２０１と被覆壁１５に堅固に押し付けられ、その結果、被覆パネル１４１０がアダプタ要素１２０１と被覆壁１５と同一平面上に位置するようにすることができる。これによりシール２５０が圧縮され、シール効果が向上する。
【０１０４】
図１５は、アダプタ要素１６００の第２の実施形態とともに、付属品取付台による付属品５４０の設置の順序を概略的に示す。この設置の順序は、初期の段階では、図１３に示す順序と同一であるかきわめて類似している。このため、図１５（ａ）では、図１３に対応する状態で既に基礎取付台１１００が示される。換言すると、基礎取付台１１００は、乗り物の壁１０又はモジュール１０に取り付けられ、その時点では既に対応する凹部を有する被覆壁１５を備えていた。また、被覆壁１５の凹部は、基礎取付台１１００の周囲よりもわずかに大きくすることができる。例えば、凹部は基礎取付台１１００の外周よりも１ｍｍ大きくすることができる。これはシール２５０を受容するために使用される。
【０１０５】
図１５（ｂ）及び図１５（ｃ）は、アダプタ要素１６００を基礎取付台１１００に挿入して締結具２６０によってともに取り付ける状態と、シール２５０の固定とを連続的に表す。アダプタ要素１６００は、被覆パネル１４５０を固定するのに使用される４つの開口部１６２１〜１６２４（例えば、穴）をさらに有する。
【０１０６】
これは、図１５（ｄ）に示される。ここでは、被覆パネル１４５０が、アダプタ要素１６００の開口部１６２１〜１６２４に対応するレセプタクル又は開口部１４２１〜１４２４を有することを認識すべきである。これにより、被覆パネル１４５０は、（図示しない）適切な締結具によってアダプタ要素１６００に摩擦的に取り付けることができる。この場合、シール２５０は、アダプタ要素１６００と基礎取付台１１００との間の断面縁部を覆って固定され、適用可能であれば、アダプタ要素１６００と基礎取付台１１００と被覆壁１５との間の空間に堅固に押し込まれる。ここでは、この３つの要素に対してシール効果が達成されている。給水管５１１及び／又は電気ケーブルがさらに到達しているか、アダプタ要素１６００の開口部１６３１と、これに対応する被覆パネル１４５０の凹部１４５１を通ってそれまでに突出していてもよい。
【０１０７】
被覆パネル１４１０とは対照的に、被覆パネル１４５０はこのほか、付属品５４０を取り付けるのに役立つ。例えば、バヨネット付属品の形態のスナップ式補助具１４３１〜１４３３を、この付属品のために被覆パネル１４５０上に円周方向に配置する。付属品５４０は、対応する（図示しない）スナップ式補助具又は対応するバヨネット付属品を有する。このようなスナップ式補助具又はバヨネット付属品によって付属品５４０を回転させて被覆パネル１４５０上に取り付けて位置づけることができる。この状態は図１５（ｅ）に示される。付属品５４０と被覆パネル１４５０との間の摩擦結合が、（図示しない）締結具によって、例えば、付属品５４０の裏側に任意に発生し、付属品５４０を介して、被覆パネル１４５０の対応する取付装置１４３４に至る。
【０１０８】
図１６は、アダプタ要素１２０１の第３の実施形態とともに、付属品取付台による付属品５２０の設置の順序を再び概略的に示す。この付属品５２０の設置の順序は、図６及び図７に関して説明したような設置のほか、図１３に関して説明したような付属品５１０の設置と共通点がある。このため、図１６の説明では、図６、図７及び図１３に関して既に説明したような同一の動作ステップの説明が省略される。
【０１０９】
図１３（ｃ）に対応する図１６（ａ）では、基礎取付台１１００が乗り物の壁１０又はモジュール１０に取り付けられた状態で、被覆壁１５が配置され、アダプタ要素１２０１が基礎取付台１１００に挿入される付属品取付台が示される。ここで、アダプタ要素１２０１の結合装置１２１０は、基礎取付台１１００の第２の取付装置１１１０の端部側とできるだけ同一平面上にあるように位置する。アダプタ要素１２０１の突起１２１６は、アダプタ要素１２００、１３００、１６００の他の実施形態の場合と同じように、基礎取付台１１００の内側案内面１１２０の開口部又は途切れ部を閉じる。
【０１１０】
図１６（ｂ）では、シール２５０が挿入された状態であるのに対し、図１６（ｃ）では、被覆パネル１４４０が付属品取付台を覆って配置される。被覆パネル１４４０は、被覆パネル１４４０が、アダプタ要素１２０１の開口部１２３６に少なくとも大部分が対応する開口部１４４５を有することを除いて、図６及び図７の被覆パネル４２０に大部分が対応する。
【０１１１】
図７の配置によれば、付属品接続要素４５０は、次に、被覆パネル１４４０に固定される。この固定のために、締結具２６０、４６０を、付属品接続要素４５０の対応する開口部及び被覆パネル１４４０の対応する開口部１４４１〜１４４３を通して導き、アダプタ要素１２０１に摩擦的に接続する。締結具２６０に関しては、基礎取付台１１００との摩擦嵌合がこのほか発生する。
【０１１２】
次に、付属品５２０は、例えば、少なくとも１つの突起４５５、４５６との摩擦接続によって付属品接続要素４５０に取り付けられる（図１６（ｅ）を参照）。同じように、付属品５２０の付属品接続要素４５０に対する固定は、図７に関して説明した固定に対応する。
【０１１３】
図１７は、アダプタ要素１３００の第４の実施形態の付属品取付台による付属品５３０の設置の順序を概略的に示す。付属品５３０の設置の順序は、図９及び図１０に関して説明した設置ときわめて類似し部分的に同一のものである。このため、図１７の説明では、図９及び図１０に関して既に説明したものと同一の動作ステップの説明を省略した。
【０１１４】
図１７（ａ）及び図１７（ｂ）は、図１３（ｃ）及び図１３（ｄ）に対応して、乗り物の壁１０又はモジュール１０に基礎取付台１１００を取り付けた状態で、被覆壁１５を配置し、アダプタ要素１３００を基礎取付台１１００に挿入し、締結具２６０によって摩擦結合させ、シール２５０を固定した付属品取付台を示す。
【０１１５】
図１７（ｃ）及び図１７（ｄ）は、図９の２つの図に対応する。即ち、図９に関して説明したのと同一の方法で実施される被覆パネル４３０の固定と付属品５３０の取り付けとに対応する。
【０１１６】
例としてこれまでに説明してきた例示的実施形態は、決定的なものではなく、本明細書に開示された目的を限定するものではないことが理解される。特に、当業者には、本明細書に開示された目的から逸脱することなく、記載された特徴を相互に組み合わせたり、及び／又はさまざまな特徴を省略することができることは、明らかである。
【図１】
2018197107.tif 000003
【図２】
2018197107.tif 000004
【図３】
2018197107.tif 000005
【図４】
2018197107.tif 000006
【図５】
2018197107.tif 000007
【図６】
2018197107.tif 000008
【図７】
2018197107.tif 000009
【図８】
2018197107.tif 000010
【図９】
2018197107.tif 000011
【図１０】
2018197107.tif 000012
【図１１】
2018197107.tif 000013
【図１２】
2018197107.tif 000014
【図１３】
2018197107.tif 000015
【図１４】
2018197107.tif 000016
【図１５】
2018197107.tif 000017
【図１６】
2018197107.tif 000018
【図１７】
2018197107.tif 000019